(57)【要約】【課題】排気ファンにより排気する排気口の位置を容易に変更可能な情報処理装置を提供すること。【解決手段】情報処理装置１は、本体部２の筐体１０の複数の面に設けられた排気口１５と、制御ブロック３の基板２１に設けられた排気ファン２３と、筐体１０内に設けられ、複数の接続コネクタを有するＩ／Ｏフロントボード１６と、基板２１に設けられ、中継コネクタ２７を有するＩ／Ｏ中継ボード２５と、を備え、排気ファン２３と排気口１５のいずれか一とを対向させて筐体１０に基板２１を収納することで、中継コネクタ２７が、接続コネクタのいずれか一とを接続する構成とする。【選択図】      図１
2010218284.tif 000002
【特許請求の範囲】
【請求項１】
少なくとも２つの面にそれぞれ設けられた排気口を有する筐体と、
前記筐体に収容された基板と、
前記基板に設けられ、前記排気口のいずれか一と対向する排気ファンと、
少なくとも前記排気口と同数が前記筐体に設けられた接続コネクタと、
前記基板に設けられ、前記排気口のいずれか一と前記排気ファンとを対向させて前記基板を前記筐体に収容することで、前記接続コネクタのいずれか一と接続する中継コネクタと、
を備えることを特徴とする情報処理装置。
【発明の詳細な説明】
【技術分野】
【０００１】
本発明は、排気ファンにより排気口から排気を行う情報処理装置に関する。
【背景技術】
【０００２】
店舗のレジカウンタ等の設置スペースに設置されるＰＯＳターミナル等の情報処理装置は、その内部に設けられた基板に、ＣＰＵ等の演算処理装置やサーマルプリンタ等の発熱体を有している。このような発熱体から発する熱は、他の構成品に熱影響を与え、電子部品の破損等の原因となる。
【０００３】
このため、発熱体から発生する熱を効率よく外部へ逃す対策がなされている。例えば、排気口にファン及び排気ダクトを有し、内部の熱せられた空気を外部へ強制的に排気する情報処理装置が知られている。
【０００４】
また、対角線上に対向する筐体の折曲部に、それぞれ排気口を有する筐体も知られている（例えば特許文献１参照）。
【発明の概要】
【発明が解決しようとする課題】
【０００５】
上述した情報処理装置では、次のような問題があった。即ち、情報処理装置の排気口は、情報処理装置の前後左右の側面、又は、上方や下方のいずれかの位置に適宜設けられる。しかし、情報処理装置は、設置毎に設置スペースの状況が異なる。特に、このような情報処理装置の設置スペースは、狭いスペースであることが多い。また、設置スペースの周囲に障害物が配置される虞が高い。
【０００６】
しかし、情報処理装置に設けられた排気口に隣接して障害物が配置されていると、排気口が障害物により閉塞されるため、所定の排気が成されない虞がある。
【０００７】
また、このような情報処理装置は、機能及び形状等の理由から、発熱体の配置に規制が発生することがあり、障害物と接する虞の高い位置に排気口を設ける必要がある場合も多い。
【０００８】
このような場合には、最低限の排気エリアを確保しつつ、設置時に障害物の移動や、障害物に排気口が閉塞されないように排気口にひさし等の突起物を設け、排気口と障害物との間に所定の距離を確保することで対処することが知られている。しかし、突起物を設けると、突起物の突起により、情報処理装置の外形状が大きくなる。
【０００９】
また、排気口を障害物で閉塞されない位置に設けた場合であっても、排気口の位置や情報処理装置の設置状況によっては、排気口からの排気が、オペレータや客に当たる問題がある。このため、排気が可能な排気口を確保が困難な場合もある。
【００１０】
さらに、これらの排気口の位置は、情報処理装置の筐体形状によって決定されるため、設置状況に応じて排気口の位置を変更することが難しい。また、客先要望に対応可能とするために、排気口の位置が異なる情報処理装置を製造する場合には、製造設備や部品管理に必要なコストが増大するため、情報処理装置の製造コストが高くなる、という問題もある。
【００１１】
そこで本発明は、排気ファンにより排気する排気口の位置を容易に変更可能な情報処理装置を提供することを目的としている。
【課題を解決するための手段】
【００１２】
前記課題を解決し目的を達成するために、本発明の情報処理装置は次のように構成されている。
【００１３】
本発明の一態様として、少なくとも２つの面にそれぞれ設けられた排気口を有する筐体と、前記筐体に収容された基板と、前記基板に設けられ、前記排気口のいずれか一と対向する排気ファンと、少なくとも前記排気口と同数が前記筐体に設けられた接続コネクタと、前記基板に設けられ、前記排気口のいずれか一と前記排気ファンとを対向させて前記基板を前記筐体に収容することで、前記接続コネクタのいずれか一と接続する中継コネクタと、を備えることを特徴とする情報処理装置が提供される。
【発明の効果】
【００１４】
本発明によれば、情報処理装置の設置情況によって排気が可能な排気口を容易に変更可能となり、確実に発熱体の熱を排気することが可能となる。
【図面の簡単な説明】
【００１５】
【図１】本発明の一実施の形態に係る情報処理装置の構成を模式的に示す斜視図。
【図２】同情報処理装置の本体と制御ブロックとの接続を模式的に示す説明図。
【図３】同本体のＩ／Ｏボードと制御ブロックのＩ／Ｏ中継ボードとの接続を模式的に示す説明図。
【発明を実施するための形態】
【００１６】
以下、本発明の一実施の形態に係る情報処理装置１を図１〜３を用いて説明する。  
なお、本実施形態は、店舗のレジカウンタ等の設置スペースに設置されるＰＯＳターミナルに適用した情報処理装置１を説明する。
【００１７】
図１は本発明の一実施の形態に係る情報処理装置１の構成を模式的に示す斜視図、図２は同情報処理装置１の本体部２と制御ブロック３との接続を模式的に示す説明図、図３は同本体部２のＩ／Ｏフロントボード１６と制御ブロック３のＩ／Ｏ中継ボード２５との接続を模式的に示す説明図である。なお、図１〜３中、ＣはＩ／Ｏフロントボード１６の中心線を、Ｈは発熱体を、Ｓは信号線をそれぞれ示している。
【００１８】
図１に示すように、情報処理装置１は、例えば、ＰＯＳターミナルに用いられる。情報処理装置１は、本体部２と、制御ブロック３と、を備えている。
【００１９】
本体部２は、例えば、外形を形成する筐体１０と、筐体１０の正面（側面）１０ａ側に設けられ、オペレータが操作を行う操作部１１と、筐体１０の正面１０ａ側に設けられ、情報を視認可能な表示部１２と、を有している。なお、本体部２は、操作部１１や表示部１２だけでなく、プリンタ等を有する構成であってもよい。
【００２０】
なお、ここで、筐体１０の側面の一であって、操作部１１及び表示部１２が設けられた側を、説明の便宜上正面１０ａとして定義する。また、筐体１０の正面１０ａと相対する側面を背面１０ｂと定義し、正面１０ａ及び背面１０ｂの間に位置する側面は、側面１０ｃと定義して、以下説明する。
【００２１】
筐体１０は、情報処理装置１の外形状を形成している。筐体１０は、その背面１０ｂに、制御ブロック３が挿入可能な開口部１３を有している。また、筐体１０は、その内部に、制御ブロック３の少なくとも一部を収納可能に形成された収納部１４を有している。即ち、筐体１０は、背面１０ｂに設けられた開口部１３から挿入した制御ブロック３を収納部１４に収納することで、筐体１０の背面１０ｂと制御ブロック３の端面（背面）とが面一となる位置に制御ブロック３を収納可能に形成されている。なお、制御ブロック３の背面が筐体１０の背面１０ｂと面一とならない構成でもよい。
【００２２】
筐体１０は、側面１０ｃにそれぞれ設けられた２つの排気口１５を有している。これら排気口１５は、筐体１０の相対する側面１０ｃの互いに対向する位置に設けられている。詳しく述べると、排気口１５は、筐体１０の２つの側面１０ｃに対称（左右対称）に形成されている。なお、排気口１５は、筐体１０の少なくとも２つの面にそれぞれ設けられていればよく、側面１０ｃ以外の面であってもよい。
【００２３】
また、筐体１０は、収納部１４内の正面１０ａに、制御ブロック３と接続可能なＰＣ板等で構成されたＩ／Ｏフロントボード１６を備えている。図２、３に示すように、Ｉ／Ｏフロントボード１６は、ボード１７と、このボード１７に設けられた接続コネクタと、を備えている。この接続コネクタは、排気口１５と少なくとも同数設けられている。
【００２４】
例えば、接続コネクタは、第１コネクタ１８と、第２コネクタ１９とを備えている。第１コネクタ１８は、ボード１７の一方の面１７ａに設けられている。第２コネクタ１９は、ボード１７の他方の面１７ｂに設けられている。
【００２５】
第１コネクタ１８と第２コネクタ１９とは、同一回路に信号線Ｓを介して接続される。なお、この信号線Ｓは、例えば、操作部１１や表示部１２等の各構成品に接続されるバスライン等である。
【００２６】
また、第１コネクタ１８と第２コネクタ１９とは、図２，３に示すように、ボード１７の異なる面であって、ボード１７の中心線Ｃを中心に線対称、又は、点対称となる位置に形成されている。即ち、第１コネクタ１８と第２コネクタ１９とは、Ｉ／Ｏフロントボード１６の中心線Ｃが対称軸となる位置に配置されている、又は、中心線Ｃを中心に第１コネクタ１８を１８０度回転させた位置に第２コネクタ１９が配置されている。
【００２７】
制御ブロック３は、ＣＰＵ等の制御部やＲＯＭや集積回路等の電子部品が積層された基板２１と、電子部品であって特に発熱する発熱体Ｈと、発熱体Ｈの付近に配置された排気ダクト２２と、排気ダクト２２に設けられた排気ファン２３と、基板２１を覆うカバー２４と、を備えている。
【００２８】
また、制御ブロック３は、Ｉ／Ｏ中継ボード２５と、Ｉ／Ｏ機器用コネクタ２６と、を備えている。Ｉ／Ｏ中継ボード２５は、カバー２４の側面の一（以下「前面２４ａ」として説明）からその一部が突出して基板２１に設けられている。Ｉ／Ｏ機器用コネクタ２６は、情報処理装置１と接続する各機器、例えば、ハンドスキャナ、ドロワ及びホストコンピュータ等と接続可能に、カバー２４の側面の一、例えば、カバー２４の前面２４ａと相対する背面２４ｂに複数設けられている。
【００２９】
基板２１は、制御ブロック３が筐体１０に収納されることで、筐体１０に収納される。排気ダクト２２は、例えば、発熱体Ｈにより熱せられた発熱体Ｈ周囲の空気を、吸込み可能に配置されている。なお、排気ダクト２２の位置及び形状は、発熱体Ｈや基板の配置・形状等によって、適宜変更可能である。
【００３０】
排気ファン２３は、排気ダクト２２を介して発熱体Ｈにより熱せられた空気を排気可能に形成されている。即ち、排気ファン２３は、筐体１０内に篭る熱を外部に排気可能に形成されている。このような排気ファン２３は、カバー２４の側面２４ｃに設けられている。詳しく述べると、排気ファン２３は、前面２４ａ及び背面２４ｂを連続する側面２４ｃのどちらか一方に、カバー２４と略面一に外部に露出して設けられる。
【００３１】
また、排気ファン２３は、カバー２４の側面２４ｃであって、制御ブロック３の筐体１０への収納時に、排気ファン２３がいずれか一方の排気口１５と同一位置となる位置に配置される。即ち、排気ファン２３は、制御ブロック３が筐体１０に収納された際に、どちらか一方の排気口１５と対向する。
【００３２】
図２、３に示すように、Ｉ／Ｏ中継ボード２５は、制御ブロック３を開口部１３から挿入し、筐体１０内に収納させた際に、第１コネクタ１８又は第２コネクタ１９のどちらか一方と接続する（接続コネクタのいずれか一と接続する）中継コネクタ２７を備えている。この中継コネクタ２７は、Ｉ／Ｏ中継ボード２５の一方の面であって、Ｉ／Ｏ中継ボード２５の中心側と一方の辺部側との間に設けられている。
【００３３】
図２，３に示すように、中継コネクタ２７は、制御ブロック３の上下面を反転させ（１８０度回転させ）、制御ブロック３を開口部１３から挿入した場合には、第１コネクタ１８又は第２コネクタ１９のどちらか他方と接続する。
【００３４】
なお、図２に示す基板２１は、上下面を反転させた一例を示しており、二点鎖線の上側に記載された基板２１は、第１コネクタ１８と中継コネクタ２７とが、二点鎖線の下側に記載された基板２１は、第２コネクタ１９と中継コネクタ２７とがそれぞれ接続する配置を示している。また、図３に示すＩ／Ｏ中継ボード２５に二点鎖線で表示された中継コネクタ２７は、基板２１を反転させた際の中継コネクタ２７を説明する図である。
【００３５】
詳しく述べると、排気ファン２３と一方の排気口１５を対向させて制御ブロック３を筐体１０に収納すると、第１コネクタ１８と中継コネクタ２７とは接続する。排気ファン２３と他方の排気口１５を対向させて制御ブロック３を筐体１０に収納すると、第２コネクタ１８と中継コネクタ２７とが接続する。
【００３６】
即ち、中継コネクタ２７は、排気ファン２３を、筐体１０の側面１０ｃに設けられた２つの排気口１５のどちらか一方と対向させることで、制御ブロック３（基板２１）の主面の一方が、上面又は下面となる。このように、排気ファン２３の位置により、制御ブロック３の主面が反転する（入れ替わる）。
【００３７】
これにより、制御ブロック３の主面が反転すると、中継コネクタ２７の位置は、第１コネクタ１８及び第２コネクタ１９の一方と対向する位置から、他方と対向する位置に変更する。このため、中継コネクタ２７は、排気ファン２３が対向する排気口１５によって、第１コネクタ１８及び第２コネクタ１９のどちらか一方と接続する。
【００３８】
このように構成された情報処理装置１は、排気を行う排気口１５を任意に選択し、任意の排気口１５と排気ファン２３が対向するように、制御ブロック３を、挿入方向を回転中心に任意に回転させて、開口部１３から挿入することで、制御ブロック３が筐体１０に収納される。
【００３９】
筐体１０に収納された制御ブロック３は、Ｉ／Ｏ中継ボード２５の中継コネクタ２７が、中継コネクタ２７と対向するＩ／Ｏフロントボード１６の第１コネクタ１８又は第２コネクタ１９に接続される。このように、制御ブロック３が筐体１０に収納され、Ｉ／Ｏフロントボード１６とＩ／Ｏ中継ボード２５とが接続することで、情報処理装置１が形成されることとなる。
【００４０】
また、中継コネクタ２７と接続する第１コネクタ１８又は第２コネクタ１９は、同一の回路に信号線Ｓで接続されているため、中継コネクタ２７が第１、第２コネクタ１８，１９のいずれと接続しても、同一の回路に接続することとなる。これにより、制御ブロック３は、排気ファン２３の方向によらず、筐体１０に収納され、中継コネクタ２７と第１、第２コネクタ１８，１９と接続することで、同一回路が形成される。
【００４１】
このように構成された情報処理装置１によれば、中継コネクタ２７と接続する第１、第２コネクタ１８、１９は信号線Ｓにより同一回路に接続されている。このため、排気口１５を任意に選択し、選択した排気口１５から排気するように排気ファン２３を配置させても、同一機能を得ることが可能となる。これにより、制御ブロック３の機能を維持するとともに、任意の排気口１５を選択することが可能となる。
【００４２】
このため、店舗のレジカウンタ等の設置スペースへの配置時に、設置スペース周囲の障害物に対向しない排気口１５を選択する等、使用において最適となる排気口１５を選択することが可能となる。即ち、情報処理装置１は、最適な排気口１５と排気ファン２３と対向させることが可能となり、排気ファン２３により発熱体Ｈから発生した熱を含む筐体１０内の空気を、どちらか一方の排気口１５から確実に排気することが可能となる。
【００４３】
また、排気ファン２３により排気する排気口１５を選択可能とすることで、各設置状況に対応が可能となり、情報処理装置１の設置性の向上にもなる。また、設置スペースや障害物等の設置状況に広く対応できることから、設置状況に基ついて排気口１５の位置のみを変更した筐体１０等を製造する必要もない。即ち、部品や製品の管理も容易となるとともに、製造コストを低減することも可能となる。さらに、排気口１５の選択は、制御ブロック３の挿入方向を回転中心として任意に回転させ、排気ファン２３を任意の排気口１５と対向させるだけでよい。このため、排気口１５を容易に選択することが可能となる。
【００４４】
上述したように本実施の形態に係る情報処理装置１によれば、排気ファン２３をいずれかの排気口１５と対向させることで、排気ファン２３と対向する排気口１５を任意に選択することが可能となる。このように、情報処理装置１の設置情況によって排気が可能な排気口１５を容易に選択することが可能となる。これにより、情報処理装置１の設置状況に応じて排気口１５を選択することで、確実に発熱体Ｈの熱を情報処理装置１外に排気することが可能となる。
【００４５】
なお、本発明は前記実施の形態に限定されるものではない。上述した例では、第１コネクタ１８と第２コネクタ１９とは、中心線Ｃが対称軸となる位置に配置、又は、中心線Ｃを中心に第１コネクタ１８を１８０度回転させた位置に第２コネクタ１９が配置されているとしたが、これに限定されない。即ち、第１コネクタ１８と第２コネクタ１９の配置は、排気ファン２３を、いずれかの排気口１５と対向させた際に、中継コネクタ２７と第１、第２コネクタ１８，１９とが接続する配置であればよい。このため、例えば、排気口１５を、筐体１０の一方の側面と上面とに設け、第１コネクタ１８を、中心線Ｃを中心に第２コネクタ１９から９０度回転させた位置に配置させてもよい。また、上述した例では、情報処理装置１はＰＯＳターミナルに用いるとしたが、これに限定されず、ＰＣ、レジスター及びラベルプリンタ等に用いても良い。
【００４６】
さらに、上述した例では、排気口１５を２つ有する筐体１０としたが、排気口１５の数は、２つに限定されるものではない。例えば、筐体１０の開口部１３が設けられた面と隣り合う面にそれぞれ設けられる構成であってもよい。このような構成では、Ｉ／Ｏフロントボードに設ける接続コネクタを、排気口１５と同数設ければよい。この他、本発明の要旨を逸脱しない範囲で種々変形実施可能である。
【符号の説明】
【００４７】
１…情報処理装置、２…本体部、３…制御ブロック、１０…筐体、１１…操作部、１２…表示部、１３…開口部、１４…収納部、１５…排気口、１５…一方の排気口、１６…Ｏフロントボード、１７…ボード、１８…第１コネクタ（接続コネクタ）、１９…第２コネクタ（接続コネクタ）、２１…基板、２２…排気ダクト、２３…排気ファン、２４…カバー、２５…Ｉ／Ｏ中継ボード、２６…Ｏ機器用コネクタ、２７…中継コネクタ、Ｃ…中心線、Ｈ…発熱体、Ｓ…信号線。
【先行技術文献】
【特許文献】
【００４８】
【特許文献１】特開平１１−２２４９８９号公報
【図１】
2010218284.tif 000003
【図２】
2010218284.tif 000004
【図３】
2010218284.tif 000005